(57)【要約】【課題】  ボビンを梱包ユニットに梱包する作業を容易にしながら、また、運搬時においても高い強度を有して線状体を巻回したボビンを強固に固定してボビン及び線状体を保護し、運搬時の損傷を低減可能なボビン用梱包ユニットを提供することである。【解決手段】  平板状の本体を折曲して形成されるボビン用梱包ユニット１であって、四角形状の平板部２と、この平板部２の両端部からそれぞれ連続して立設される一対の側壁部３ａ，３ｂと、これら一対の側壁部３ａ，３ｂの端部の中央部分に形成される一対の切欠部９ａ，９ｂと、一対の側壁部３ａ，３ｂにそれぞれ穿設される一対の第１の貫通孔６ａ，６ｂ及び一対の第２の貫通孔７ａ，７ｂと、一対の第１の貫通孔６ａ，６ｂ及び一対の第２の貫通孔７ａ，７ｂにそれぞれ挿通されボビンに当接可能に構成される一対の支持部８ａ，８ｂとを有するものである。【選択図】  図１
0003145647.tif 000002
【実用新案登録請求の範囲】
【請求項１】
平板状の本体を折曲して形成されるボビン用梱包ユニットであって、四角形状の平板部と、この平板部の両端部からそれぞれ連続して立設される一対の側壁部と、これら一対の側壁部の端部の中央部分に形成される一対の切欠部と、前記一対の側壁部にそれぞれ穿設される一対の第１の貫通孔及び一対の第２の貫通孔と、前記一対の第１の貫通孔及び前記一対の第２の貫通孔にそれぞれ挿通され前記ボビンに当接可能に構成される一対の支持部とを有することを特徴とするボビン用梱包ユニット。
【請求項２】
前記一対の側壁部に隙間を形成して前記一対の側壁部の内側に連続して設けられる一対の第２の側壁部を備え、前記一対の第２の側壁部には一対の第３の貫通孔及び第４の貫通孔が穿設され、前記一対の支持部は前記一対の第１乃至第４の貫通孔に挿通されることを特徴とする請求項１に記載のボビン用梱包ユニット。
【請求項３】
前記一対の第２の側壁部は端部に少なくとも１個の突起部を備え、前記平板部は前記突起部を挿脱可能なスリット部を備えることを特徴とする請求項２に記載のボビン用梱包ユニット。
【請求項４】
前記平板部は、少なくともいずれか一方の側部に第２の切欠部を備えることを特徴とする請求項１乃至請求項３のいずれか１項に記載のボビン用梱包ユニット。
【考案の詳細な説明】
【技術分野】
【０００１】
本考案は、線状体を巻回したボビンを梱包するボビン用梱包ユニットに関する。
【背景技術】
【０００２】
一般に、光ファイバ心線や電線等の線材は、プラスチック製のボビンに巻回された状態で運搬されたり保存されたりする。この際、線材が損傷しないようにダンボール製などの収納箱に梱包されるのが通常である。このような収納箱に関してはこれまでに様々な研究や発明がなされている。
【０００３】
例えば、特許文献１には、「線状体用梱包箱」という名称で、ボビンを収納した状態で、ボビンに巻いた線状体の繰り出し作業が円滑に行える線状体用梱包箱に関する発明が開示されている。
この特許文献１に開示された発明は、線状体を巻いたボビンを収納する線状体用梱包箱において、ボビンを回転可能に支持し、ボビンに当接する部分にボビンとの従動回転が可能な従動回転部を備える支持棒と、側壁部の複数箇所に設けられ、支持棒が挿通可能な軸受け孔を形成するためのミシン目とを有するものである。
そして、線状体用梱包箱は、主に、ダンボール製であり、４個の側壁部を備える四角枠状の箱本体部と、この箱本体部の上下の開口部を塞ぐ蓋部を有しており、対向する２個の側壁部には二対のミシン目が設けられており、これらのミシン目を破ると、ボビンを回転自在に支持するための支持棒を挿通する軸受け孔を形成することができる。すなわち、線状体を運搬する際には二対のミシン目はそのままにしておき、運搬先へ到着した後、線状体を使用する際に、ミシン目を破って形成される軸受け孔に支持棒を挿通させて、支持棒上にボビンを載置することで、ボビンは支持棒によって回転自在に支持されるので、線状体を繰り出すことが可能となり、線状体梱包箱は線状体繰り出し装置として機能する。
また、支持棒上にボビンを載置した状態では、ボビンの底部は線状体用梱包箱の底部に当接しないように軸受け孔は配置されており、さらに、箱本体部はボビンよりも若干大きく形成されており、ボビンと箱本体部にはクリアランスが確保されているので、ボビンは、常に軽い力で回転でき、従って、線状体の繰り出しが容易となる。
【０００４】
また、特許文献２には、「紙製容器」という名称で、衝撃等によるロールの巻きの緩み発生を防止可能な紙製容器に関する発明が開示されている。
この特許文献２に開示された発明は、少なくとも長手方向の一端に突起を有する柱状体を格納する紙製容器であって、所定の切欠き加工を施した１枚の紙材において、一部を接着し、他部を折り曲げ加工することにより、箱状の胴体と、この胴体に一体化して形成され柱状体の突起を支持する突起支持部とを備えるものである。
そして、胴体は、詳しくは、前面部と、後面部と、２個の側面部と、底面部とを備え、また、上面は後面部から延設される後面フラップにより開閉可能となる有底四角筒状をなしている。また、左右２個の側面部からは、それぞれ２個の側面フラップが延設されており、これらの側面フラップは、各々、略中央部に設けられる短形開口と、短形開口の一隅に設けられる逆Ｌ字状切込と、短形開口と逆Ｌ字状切込によって形成される支持片とを備え、また、短形開口の二の隅からは側面フラップの側部に延びる折込線が形成されている。そして、これらの側面フラップの上縁部及び側部にはそれぞれ折込線を介して上縁片と側部支持片が延設されている。これらの折込線に沿って、側面フラップ、上縁片及び側部支持片を折り曲げて、側面フラップを胴体の内側に折り込むと、胴体の２個の側面部には、ロール紙のボビンの両端部をそれぞれ支持する角形凹部を有する突起支持部を形成することができる。したがって、この突起支持部にロール紙のボビンの両端部を支持させると、ロール紙は移動することなく強固に固定されることができ、運搬中などに発生するロール紙の巻き緩みを防止することができる。
【特許文献１】特開２００６−２４８７２０号公報
【特許文献２】特開平９−３９９４５号公報
【考案の開示】
【考案が解決しようとする課題】
【０００５】
しかしながら、上述の従来技術である特許文献１に開示された発明では、４個の側壁部を備える四角枠状の箱本体部を備えるため、線状体を巻いたボビンを梱包するためにクレーンで吊り込む際には、線状体を巻いたボビンの中央孔に挿通してボビンを支持する軸状の支持具を用いたまま、四角枠状の箱本体内部にボビンを梱包することが困難である。また、たとえ軸状の支持具を用いてボビンを梱包することができたとしても、梱包後にその軸状の支持具を箱本体部から取り出すことが困難であるという課題があった。
また、運搬後にミシン目を破って支持棒を挿通するため、運搬中ボビンの重量は箱本体部の箱底壁で支える必要があり、荷重に耐えるために箱底壁を厚くしたり、あるいは箱底壁の耐えうる荷重のボビンのみを運搬するなど、運搬可能なボビンに限りがある可能性があった。さらに、運搬後に支持棒を挿通するため、その作業が必要であるのと同時に、その支持棒も運搬する必要があり、支持棒を同梱する場合には、その支持棒が線材を破損などしないように固定する必要があったり、同梱しない場合には運搬時に別途スペースを確保する必要もあるという課題があった。
しかも、特許文献１に記載された発明では、ボビンの梱包箱と線状体の繰り出し装置とを兼ねており、線状体の繰り出しを容易にするためにボビンと梱包箱との間にはクリアランスが設けられているので、梱包、運搬時にはボビンが箱内を移動してしまい、ボビンや線状体が損傷する可能性があるという課題があった。
【０００６】
また、特許文献２に開示された発明では、側面フラップによって形成される突起支持部がボビンの両端の突起を支持し、運搬中などにおいてボビン及びボビンに巻着されるロール紙を保護することができるが、突起支持部は側面フラップを折り曲げただけの簡易な構造であり、若干、強度に劣るという課題があった。
【０００７】
本考案はかかる従来の事情に対処してなされたものであり、ボビンを梱包ユニットに梱包する作業を容易にしながら、また、運搬時においても高い強度を有して線状体を巻回したボビンを強固に固定してボビン及び線状体を保護し、運搬時の損傷を低減可能なボビン用梱包ユニットを提供することを目的とする。
【課題を解決するための手段】
【０００８】
上記目的を達成するため、請求項１記載の考案であるボビン用梱包ユニットは、平板状の本体を折曲して形成されるボビン用梱包ユニットであって、四角形状の平板部と、この平板部の両端部からそれぞれ連続して立設される一対の側壁部と、これら一対の側壁部の端部の中央部分に形成される一対の切欠部と、一対の側壁部にそれぞれ穿設される一対の第１の貫通孔及び一対の第２の貫通孔と、一対の第１の貫通孔及び一対の第２の貫通孔にそれぞれ挿通されボビンに当接可能に構成される一対の支持部とを有するものである。
このような構成のボビン用梱包ユニットによれば、平板状の一枚の本体からボビン用梱包ユニットを形成することができ、平板部と、一対の側壁部と、一対の側壁部に穿設される一対の第１の貫通孔及び一対の第２の貫通孔に挿通される一対の支持部とがボビンに当接してボビンを梱包するように作用する。また、一対の側壁部の端部の中央部分に形成される一対の切欠部は、ボビン用梱包ユニットにボビンを収容する際にクレーンなどの作業機械の一部やボビンの中央孔に挿通してボビンを吊り下げる軸状の支持具が一対の側壁部に接触しないように作用する。
【０００９】
また、請求項２記載の考案は、請求項１に記載のボビン用梱包ユニットにおいて、一対の側壁部に隙間を形成してこの一対の側壁部の内側に連続して設けられる一対の第２の側壁部を備え、一対の第２の側壁部には一対の第３の貫通孔及び第４の貫通孔が穿設され、一対の支持部は一対の第１乃至第４の貫通孔に挿通されるものである。
このような構成のボビン用梱包ユニットにおいては、一対の第２の側壁部はボビンに当接してボビンを梱包し、一対の第１の貫通孔及び一対の第２の貫通孔に加えて一対の第３の貫通孔及び第４の貫通孔が一対の支持部を貫通させて固定するように作用する。
【００１０】
そして、請求項３記載の考案は、請求項２に記載のボビン用梱包ユニットにおいて、一対の第２の側壁部は端部に少なくとも１個の突起部を備え、平板部は突起部を挿脱可能なスリット部を備えるものである。
このような構成のボビン用梱包ユニットにおいては、請求項２に記載の考案の作用に加えて、平板部に設けられるスリット部は一対の第２の側壁部の端部に設けられる突起部を嵌挿するように作用する。
【００１１】
最後に、請求項４記載の考案は、請求項１乃至請求項３のいずれか１項に記載のボビン用梱包ユニットにおいて、平板部は、少なくともいずれか一方の側部に第２の切欠部を備えるものである。
このような構成のボビン用梱包ユニットにおいては、請求項１乃至請求項３のいずれか１項に記載の考案の作用に加えて、第２の切欠部は平板部の側部に切り欠きを形成して梱包作業者や線材使用者の指や手が掛かるように作用する。
【考案の効果】
【００１２】
以上説明したように、本考案の請求項１に記載のボビン用梱包ユニットにおいては、平板状の一枚の本体を折曲することによって高強度のボビン用梱包ユニットを形成することができ、簡便で環境に配慮したボビン用梱包ユニットを提供することができる。平板状の本体を折曲して形成される一対の側壁部は、ボビンの長手方向に対して垂直に両端部に接してボビンを保護し、また、平板部及び一対の支持部はボビンの長手方向に対して平行に接してボビンを保護することができる。なお、ボビン用梱包ユニットは１個を用いてボビン用梱包ユニットにボビンを載上するようにして使用することもできるし、さらに１個のボビン用梱包ユニットを反転させてボビンの上から被せるようにして使用することもできる。このように２個のボビン用梱包ユニットを用いた場合は、上下両側から保護されるため、ボビンの保護力は極めて高くなり、運搬中のボビンやボビンに巻回される線状体の損傷を防止することができる。
【００１３】
また、本考案の請求項２に記載のボビン用梱包ユニットにおいては、一対の側壁部と一対の第２の側壁部によって側壁部が二重となり、ボビン用梱包ユニットの長手方向の強度を高めることができ、結果、ボビンの保護力を向上させることができる。
本考案においては、２個のボビン用梱包ユニットを用いて上下両側からボビンを保護するようにすると、二重構造となって厚みのある側壁部において荷重を支えることが可能となるため、その上にさらにボビン用梱包ユニットを重ねて別のボビンを積載することが可能である。例えば、本考案のボビン用梱包ユニットを用いてボビンを大きな箱に多数梱包する場合には、２個のボビン用梱包ユニットを用いてボビンを梱包しながら、その上にさらに２個のボビン用梱包ユニットを用いてボビンを梱包することができる。さらに、荷重が許す限り積載することができる。
【００１４】
そして、本考案の請求項３に記載のボビン用梱包ユニットにおいては、平板部のスリット部に一対の第２の側壁部の端部に設けられる突起部を挿嵌することによって、一対の第２の側壁部の固定を強化することができる。また、一対の側壁部との隙間を強固に維持させることができる。そして、この隙間が維持されながら一対の第２の側壁部が固定されることで、一対の支持部を一対の第１乃至第４の貫通孔に挿通させた場合に、一対の支持部の長手方向の構造強度を強めることが可能である。
【００１５】
最後に、本考案の請求項４に記載のボビン用梱包ユニットにおいては、第２の切欠部は梱包作業者や線材使用者の指貫き孔として機能させることができ、ボビン用梱包ユニットを容易に取り扱うことができる。また、例えば、ボビン用梱包ユニットをボビンの上下両側から保護するような場合には、上側のボビン用梱包ユニットを容易に取り付けたり、取り外したりすることができる。このことは、特に、ボビン用梱包ユニットを２個用いてボビンの上下両側から保護しながら梱包用大箱内に収納して運搬する際には、ボビン用梱包ユニット間の隙間がほとんどない状態で詰めて運搬されることから、荷解き時に上側のボビン用梱包ユニットを取り外す際に重宝するのである。また、ボビン用梱包ユニットの持ち運びや梱包用大箱内での配置なども容易である。
【考案を実施するための最良の形態】
【００１６】
以下に、本考案に係るボビン用梱包ユニットの最良の実施の形態を図１乃至図４に基づき説明する。（請求項１乃至請求項４に対応）
図１（ａ）は、本考案の実施の形態に係るボビン用梱包ユニットの斜視図であり、（ｂ）は同じくボビン用梱包ユニットの平面図である。
図１（ａ）及び（ｂ）において、ボビン用梱包ユニット１は、四角形状の平板部２と、この平板部２の両端部からそれぞれ連続して立設され対向する一対の第１の側壁部３ａ，３ｂと、一対の第１の側壁部３ａ，３ｂにそれぞれ一対の渡り部５ａ，５ｂを連続させて介して形成される一対の第２の側壁部４ａ，４ｂと、これら一対の第２の側壁部４ａ，４ｂに穿設される一対の第３の貫通孔６ａ，６ｂ及び一対の第４の貫通孔７ａ，７ｂに挿通されている一対の支持棒８ａ，８ｂとを有している。なお、図１には図示していないが、一対の第１の側壁部３ａ，３ｂにおいても一対の支持棒８ａ，８ｂが挿通可能な二対の貫通孔（図２における２０ａ，２０ｂ，２１ａ，２１ｂ）が穿設されており、一対の支持棒８ａ，８ｂはこれら二対の貫通孔にも挿通されている。
なお、本願明細書及び特許請求の範囲において、四角形状とは略四角形状を含む概念である。
また、後述するが、符号９ａ，９ｂは一対の第１の切欠部であり、符号１０ａ，１０ｂは一対の第２の切欠部であり、符号１１ａ，１１ｂは一対の隙間である。
そして、図示していないが、ボビン用梱包ユニット１は一対の第２の側壁部４ａ，４ｂの端部にそれぞれ２個の突起を備えており、また、平板部２にはこれらの突起が嵌挿可能な４個のスリットが設けられている。図１（ａ）及び（ｂ）においては、一対の第２の側壁部４ａ，４ｂは平板部２のスリットに突起部が嵌挿されて第１の側壁部３ａ，３ｂとの隙間１１ａ，１１ｂを維持しながら固定されている。
【００１７】
ボビン用梱包ユニット１において、平板部２、一対の第１の側壁部３ａ，３ｂ及び一対の第２の側壁部４ａ，４ｂは平板状の一枚の本体として紙体を折曲して形成されている。この紙体にはダンボールを用いることができ、特に、強度を向上させるためには二層構造を有するダンボールが好ましい。また、紙体は軽くしかも再利用可能であるので使用後の処理において環境に配慮した材料である。但し、紙体はダンボールに限定されるものではなく、また、折曲可能なものであれば例えばダンボール以外の紙製のもの、木製のもの、合成樹脂（プラスチック）や金属製のもの等、如何なる材料であっても構わない。
また、一対の支持棒８ａ，８ｂには、紙製の紙管を用いると、平板部２、一対の第１の側壁部３ａ，３ｂ及び一対の第２の側壁部４ａ，４ｂを構成する本体部と材料が統一されて使用後の処理が容易となる。但し、木製、樹脂製や金属製の管状体を用いてもよい。
【００１８】
次に、図２は、本実施の形態に係るボビン用梱包ユニットの本体部の展開図である。
図２において、ボビン用梱包ユニットの本体部１ａは平板状の一枚の紙体であり、所望の形状に貫通孔や折曲線あるいは切欠部が複数形成されている。
一対の第１の折曲線１７ａ，１７ｂ、一対の第２の折曲線１８ａ，１８ｂ及び一対の第３の折曲線１９ａ，１９ｂは、それぞれ内側に折曲することによって、一対の第１の側壁部３ａ，３ｂ、一対の渡り部５ａ，５ｂ及び一対の第２の側壁部４ａ，４ｂを形成することができる。
また、一対の第１の側壁部３ａ，３ｂには一対の第１の貫通孔２０ａ，２０ｂ及び一対の第２の貫通孔２１ａ，２１ｂが穿設され、一対の第２の側壁部４ａ，４ｂには一対の第３の貫通孔６ａ，６ｂ及び一対の第４の貫通孔７ａ，７ｂが穿設されており、これら貫通孔は、一対の第１の側壁部３ａ，３ｂ及び一対の第２の側壁部４ａ，４ｂを折曲して形成したときに、一対の第１の貫通孔２０ａ，２０ｂと一対の第３の貫通孔６ａ，６ｂが同一線上になるように配置され、また、同様に、一対の第２の貫通孔２１ａ，２１ｂと一対の第４の貫通孔７ａ，７ｂが同一線上になるように配置され、図１に示す一対の支持棒８ａ，８ｂの挿通を可能にしている。
そして、一対の第１の側壁部３ａ，３ｂ、一対の第２の側壁部４ａ，４ｂ及び一対の渡り部５ａ，５ｂにわたって穿設されている一対の第５の貫通孔２２ａ，２２ｂは、一対の第１の側壁部３ａ，３ｂ、一対の第２の側壁部４ａ，４ｂ及び一対の渡り部５ａ，５ｂの折曲後には、図１に示す半円形状の一対の切欠部９ａ，９ｂを形成する。図１及び図２においては第１の切欠部９ａ，９ｂが半円形状に形成されるようになっているが、特にこの半円形状に限定するものではなく、矩形状（凹状）や三角形状（Ｖ字状）に形成されてもよい。他の実施例、図面においても同様である。
【００１９】
また、一対の第２の側壁部４ａ，４ｂの両端部には、一対の第１の突起１２ａ，１２ｂ及び一対の第２の突起１３ａ，１３ｂが設けられている。そして、平板部２には、一対の第１のスリット１４ａ，１４ｂ及び一対の第２のスリット１５ａ，１５ｂが設置されている。一対の第１の突起１２ａ，１２ｂ及び一対の第２の突起１３ａ，１３ｂは、一対の第２の側壁部４ａ，４ｂを折曲した際に、それぞれ一対の第１のスリット１４ａ，１４ｂ及び一対の第２のスリット１５ａ，１５ｂに嵌挿が可能であり、これらの突起とスリットを嵌合することによって、一対の第２の側壁部４ａ，４ｂは平板部２に固定されるため、強度向上を図ることができる。
しかも、第１の側壁部３ａ，３ｂとの間に隙間１１ａ，１１ｂを形成しながら強固に固定され、第１の貫通孔２０ａ，２０ｂ、第２の貫通孔２１ａ，２１ｂ、第３の貫通孔６ａ，６ｂ、第４の貫通孔７ａ，７ｂに挿通される支持棒８ａ，８ｂの軸方向あるいは軸方向とは垂直な方向に印加される荷重や力を第１の側壁部３ａ，３ｂと第２の側壁部４ａ，４ｂに分散することが可能であるので、支持棒８ａ，８ｂも強固に固定される。特に支持棒８ａ，８ｂの軸方向（長手方向）に加わる荷重や力に対しては、第１乃至第４の貫通孔を介して第１の側壁部３ａ，３ｂと第２の側壁部４ａ，４ｂの面全体で変形を抑止するように働くので非常に強い強度が発揮されることになる。
【００２０】
続いて、図３を用いて、ボビン用梱包ユニットの使用方法について説明する。
図３は、本実施の形態に係るボビン用梱包ユニットにボビンを載置した状態を示す概念図である。
図３において、ボビン用梱包ユニット１では、ボビン用梱包ユニット１の上方に線状体を巻回したボビン１６を載置する。ボビン１６の載置は、通常、線状体を巻回したボビン１６をクレーン等で吊り降ろすことによって実施されるが、その際にはボビン１６の中央孔に軸状の支持具を挿通し、その支持具を介してクレーンの腕に係止される。線状材を巻回したボビン１６を直接クレーンの腕に係止してしまうと線状材を損傷させてしまう可能性があるためである。あるいは、軸状の支持具を用いることなく、２本のフックを備えたクレーンを用いて、ボビン１６の中央孔にフックを両側から差し入れて固定して吊り降ろす場合もある。
ボビン用梱包ユニット１は、予め床面や大型の梱包箱の中等に複数配置しておき、そこへクレーンを用いて順次ボビン１６を載置していく。
吊り降ろされたボビン１６の下方は一対の支持棒８ａ，８ｂに当接し、また、ボビン１６の軸方向の両端面は、一対の第２の側壁部４ａ，４ｂに当接して固定され、ボビン１６はボビン用梱包ユニット１によって下方向と横方向から保護される構成になっている。また、図示していないが、ボビン１６の底部は、ボビン用梱包ユニット１の平板部２にも当接しており、ボビン１６の下方は、平板部２と一対の支持棒８ａ，８ｂの三点において接触して強固に固定される。
そして、ボビン１６に横方向においては、一対の渡り部５ａ，５ｂを介して一対の第１の側壁部３ａ，３ｂと一対の第２の側壁部４ａ，４ｂが隙間１１ａ，１１ｂを形成して二重に構成されているので、高い強度を担保することが可能となり、横方向の高い保護力を維持することができる。
【００２１】
なお、一対の渡り部５ａ，５ｂは必ずしも設置する必要はなく、省略することもできる。この場合、一対の第１の側壁部３ａ，３ｂと一対の第２の側壁部４ａ，４ｂは隙間１１ａ，１１ｂを形成することなく接触するように頂点を形成して折り返されて、前述のように、一対の第２の側壁部４ａ，４ｂに設けられる突起を平板部２に設けられるスリットに嵌挿して固定され、横方向の強度を保持することができる。しかしながら、前述のように隙間１１ａ，１１ｂを形成することで発揮される荷重や力の緩和は期待することができない。
さらに、一対の第２の側壁部４ａ，４ｂを形成しないように構成してもよく、この場合、一対の第１の側壁部３ａ，３ｂのみとなるため強度は低下するが、本体部１ａに強度の高い材料、例えば木材、合成樹脂や金属を用いることでボビン用梱包ユニット１として成立させることも可能である。そして、このような場合では、使用する材料が少なくなるのでコストダウンや軽量化を図ることができる可能性もある。
【００２２】
また、一対の第１の側壁部３ａ，３ｂ又は一対の第２の側壁部４ａ，４ｂは、ボビン１６の両端部に接触するようにボビン１６の横幅（軸方向の幅）に合わせて配置する方が好ましく、ボビン１６の横幅に合わせて設計することによって運搬中のボビン１６の移動を防止し、ボビン１６やボビン１６に巻着される線状体の損傷を防ぐことができる。
また、図３に示すように、ボビン用梱包ユニット１では、一対の支持棒８ａ，８ｂの上にボビン１６を載置するが、この載置作業は、前述のとおり主にクレーン等の機械によって行われ、ボビン１６の中央孔に挿通される支持具が一対の第１の側壁部３ａ，３ｂ及び一対の第２の側壁部４ａ，４ｂに接触することなくボビン１６を載置可能に、一対の第１の側壁部３ａ，３ｂ及び一対の第２の側壁部４ａ，４ｂの中央部分には、図１（ａ）及び（ｂ）に示される半円状の一対の第１の切欠部９ａ，９ｂが形成されている。また、載置作業においてフックを備えたクレーンを用いる場合にも同様に、このフックが一対の第１の側壁部３ａ，３ｂ及び一対の第２の側壁部４ａ，４ｂに接触することなくボビン１６を載置可能である。
そして、後述するが、別のボビン用梱包ユニット１を反転して、図２に示すボビン１６の上から被せるように覆うと、ボビン１６の上方が下方の場合と同様に保護、固定されて、効果的な梱包が可能となる。
【００２３】
ここで、図４を用いてボビン用梱包ユニットの背面側について説明する。
図４は、本実施の形態に係るボビン用梱包ユニットを反転した場合の斜視図である。
図４において、ボビン用梱包ユニット１を反転すると、平板状の平板部２の両端部から一対の第１の側壁部３ａ，３ｂ及び一対の第２の側壁部４ａ，４ｂが下方に向けて立設され、一対の渡り部５ａ，５ｂが底面となる構造になる。一部図示されているが、一対の支持棒８ａ，８ｂが第１の側壁部３ａに穿設される貫通孔を貫通している様子がわかる。また、平板部２に形成される一対の第１のスリット１４ａ，１４ｂ及び一対の第２のスリット１５ａ，１５ｂからは、ダンボールの波型形状が見えており、これは、一対の第２の側壁部４ａ，４ｂに設けられる一対の第１の突起１２ａ，１２ｂ及び一対の第２の突起１３ａ，１３ｂがそれぞれ一対の第１のスリット１４ａ，１４ｂ及び一対の第２のスリット１５ａ，１５ｂに嵌挿されていることを示している。
このように、一対の第１のスリット１４ａ，１４ｂ及び第２のスリット１５ａ，１５ｂにそれぞれ一対の第１の突起１２ａ，１２ｂ及び第２の突起１３ａ，１３ｂを嵌挿することで、一対の第１の側壁部３ａ，３ｂと第２の側壁部４ａ，４ｂの隙間を強固に維持させることができると同時に、一対の支持棒８ａ，８ｂを一対の第１乃至第４の貫通孔に挿通させた場合に、一対の支持棒８ａ，８ｂの長手方向の構造強度を強めることが可能である。
そして、前述した図３に示すボビン用梱包ユニット１に載置されたボビン１６上に、図４に示す反転したボビン用梱包ユニット１を被せると、ボビンは全周にわたって保護、固定されて、ボビンやボビンに巻回された線状体への損傷を防止することができる。
また、反転した状態でボビン用梱包ユニット１を使用する場合は、一対の第２の切欠部１０ａ，１０ｂは指抜き孔として機能し、荷解き時には一対の第２の切欠部１０ａ，１０ｂに指を挿入すると、簡単にボビン用梱包ユニット１を取り外すことができる。特に、梱包用の大箱に複数のボビンを、ボビン用梱包ユニット１を上下両側から梱包して運搬した後の荷解きの場合には、ボビン用梱包ユニット１間の隙間がほとんどない状態なので、第２の切欠部１０ａ，１０ｂは隣り合うボビン用梱包ユニット１の第２の切欠部１０ａ，１０ｂと相まって円形を形成してより便利に取り外すことが可能となる。なお、第２の切欠部１０ａ，１０ｂは、２個に限定されるものでなく、１個でも３個以上でもよく、また、形状も図示するような半円状に限定されるものではなく、矩形状（凹状）や三角形状（Ｖ字状）に形成されてもよい。
そして、ボビンを２個のボビン用梱包ユニット１を用いて梱包すると、２個のボビン用梱包ユニット１の一対の第２の側壁部４ａ，４ｂ及び一対の支持棒８ａ，８ｂによって支持・保護されるため、ボビンの長手方向（すなわち、支持棒８ａ，８ｂの長手方向）に対して垂直な方向のみならずボビンの長手方向にもボビンを安定して梱包可能である。
さらに、２個のボビン用梱包ユニット１を用いて上下両側からボビンを保護するようにすると、その上にさらに別のボビン用梱包ユニット１を重ねて別のボビンを積載することが可能である。従って、ボビン用梱包ユニット１を複数梱包可能な大きな箱に、２個のボビン用梱包ユニット１を用いてボビンを梱包しながら、その上にさらに２個のボビン用梱包ユニット１を用いてボビンを梱包することで、多数のボビンを同時に運搬することができ、運搬効率の向上を図ることができる。
なお、本実施の形態においては、第１の側壁部３ａ，３ｂと第２の側壁部４ａ，４ｂの隙間を維持するように構成され、渡り部５ａ，５ｂを備えており、この渡り部５ａ，５ｂにおいてより大きな荷重を支えることが可能となるため、より多数のボビンを運搬可能であり、更なる運搬効率の向上を図ることができる。
【産業上の利用可能性】
【００２４】
以上説明したように、請求項１乃至請求項４に記載された本考案は、高強度でボビン及びボビンに巻回された線状体を運搬時において安定して保護可能なボビン用梱包ユニットを提供可能であり、線状体の運搬や保管などに利用可能である。
【図面の簡単な説明】
【００２５】
【図１】（ａ）は本考案の本実施の形態に係るボビン用梱包ユニットの斜視図であり、（ｂ）は同じくボビン用梱包ユニットの平面図である。
【図２】本実施の形態に係るボビン用梱包ユニットの展開図である。
【図３】本実施の形態に係るボビン用梱包ユニットにボビンを載置した状態を示す概念図である。
【図４】本実施の形態に係るボビン用梱包ユニットを反転した場合の斜視図である。
【符号の説明】
【００２６】
１…ボビン用梱包ユニット  １ａ…本体部  ２…平板部  ３ａ，３ｂ…第１の側壁部  ４ａ，４ｂ…第２の側壁部  ５ａ，５ｂ…渡り部  ６ａ，６ｂ…第３の貫通孔  ７ａ，７ｂ…第４の貫通孔  ８ａ，８ｂ…支持棒  ９ａ，９ｂ…第１の切欠部  １０ａ，１０ｂ…第２の切欠部  １１ａ，１１ｂ…隙間  １２ａ，１２ｂ…第１の突起  １３ａ，１３ｂ…第２の突起  １４ａ，１４ｂ…第１のスリット  １５ａ，１５ｂ…第２のスリット  １６…ボビン  １７ａ，１７ｂ…第１の折曲線  １８ａ，１８ｂ…第２の折曲線  １９ａ，１９ｂ…第３の折曲線  ２０ａ，２０ｂ…第１の貫通孔  ２１ａ，２１ｂ…第２の貫通孔  ２２ａ，２２ｂ…第５の貫通孔
【図１】
0003145647.tif 000003
【図２】
0003145647.tif 000004
【図３】
0003145647.tif 000005
【図４】
0003145647.tif 000006